(57)【要約】【課題】固定子コイル端部の低下した剛性の回復、若しくは剛性を向上させることができる補強方法及び補強構造を得ることを目的とする。【解決手段】回転電機の運転停止後に環状の固定子コイル端部の外周若しくは内周または固定子コイル端部の隙間にチューブ１４を配置する配置手順と、このチューブ１４に液体状の絶縁物１５を充填する充填手順と、絶縁物１５が硬化するとともに、チューブ１４が固定子コイル端部の外周若しくは内周または固定子コイル端部の隙間に固定される固定手順を有することを特徴とする。【選択図】図１
2008301620.tif 000002
【特許請求の範囲】
【請求項１】
環状に配置された固定子鉄心の端部から伸びた上口固定子コイル及び下口固定子コイルと、これら上口固定子コイル及び下口固定子コイルを結合するシリース接続体とで形成された環状の固定子コイル端部と、
この固定子コイル端部を環状に保持する保持リングを備えた回転電機の補強方法であって、
前記回転電機の運転停止後に前記固定子コイル端部の外周若しくは内周または前記固定子コイル端部の隙間にチューブを配置する配置手順と、このチューブに液体状の絶縁物を充填する充填手順と、前記絶縁物が硬化するとともに、前記チューブが前記固定子コイル端部の外周若しくは内周または前記固定子コイル端部の隙間に固定される固定手順を有することを特徴とする回転電機の補強方法。
【請求項２】
前記チューブにレジンを染み込ませる処理手順を有し、
前記固定手順は、前記レジンが硬化して、前記チューブが前記固定子コイル端部の外周若しくは内周または前記固定子コイル端部の隙間に接着されることを含むことを特徴とする請求項１記載の回転電機の補強方法。
【請求項３】
前記固定手順は、前記チューブと前記固定子コイル端部を固定紐で緊縛することを含むことを特徴とする請求項１または２に記載の回転電機の補強方法。
【請求項４】
前記固定子コイル端部の隙間は、前記上口固定子コイルと前記下口固定子コイルとの間の隙間であることを特徴とする請求項１乃至３のいずれか１項に記載の回転電機の補強方法。
【請求項５】
前記固定子コイル端部の隙間は、隣接する前記上口固定子コイル及び前記下口固定子コイルとの間の隙間であり、
前記チューブが、前記隣接する前記上口固定子コイル及び前記下口固定子コイルとの間の隙間を通過する度に、前記固定子コイル端部の内周側及び前記固定子コイル端部の外周側にて交互に折り返すように配置されることを特徴とする請求項１乃至３のいずれか１項に記載の回転電機の補強方法。
【請求項６】
前記固定子コイル端部の隙間は、隣接する前記上口固定子コイルとの間の隙間であり、
前記チューブが、前記隣接する前記上口固定子コイルとの間の隙間を通過する度に、前記上口固定子コイルにおける前記固定子コイル端部の内周側に位置する上口固定子コイル内方部及び前記上口固定子コイル内方部と逆側に位置する上口固定子コイル外方部にて交互に折り返すように配置されることを特徴とする請求項１乃至３のいずれか１項に記載の回転電機の補強方法。
【請求項７】
前記固定子コイル端部の隙間は、隣接する前記下口固定子コイルとの間の隙間であり、
前記チューブが、前記隣接する前記下口固定子コイルとの間の隙間を通過する度に、前記下口固定子コイルにおける前記固定子コイル端部の外周側に位置する下口固定子コイル外方部及び前記下口固定子コイル外方部と逆側に位置する下口固定子コイル内方部にて交互に折り返すように配置されることを特徴とする請求項１乃至３のいずれか１項に記載の回転電機の補強方法。
【請求項８】
前記絶縁物は、樹脂とガラス繊維の混合物であることを特徴とする請求項１乃至７のいずれか１項に記載の回転電機の補強方法。
【請求項９】
前記チューブは、その端部同士を重ねて配置することを特徴とする請求項１乃至８のいずれか１項に記載の回転電機の補強方法。
【請求項１０】
前記チューブを複数有し、夫々の前記チューブの端部を他の前記チューブの端部と重ね、複数の前記チューブが環状に形成することを特徴とする請求項１乃至８のいずれか１項に記載の回転電機の補強方法。
【請求項１１】
環状に配置された固定子鉄心の端部から伸びた上口固定子コイル及び下口固定子コイルと、これら上口固定子コイル及び下口固定子コイルを結合するシリース接続体とで形成された環状の固定子コイル端部と、
この固定子コイル端部を環状に保持する保持リングを備えた回転電機の補強構造であって、
前記固定子コイル端部の外周若しくは内周または前記固定子コイル端部の隙間に配置されるチューブを有し、
このチューブに充填された絶縁物が硬化するとともに、前記チューブが前記固定子コイル端部の外周若しくは内周または前記固定子コイル端部の隙間に固定されたことを特徴とする回転電機の補強構造。
【請求項１２】
前記チューブはレジンを染み込ませたものであり、
前記レジンが硬化して、前記チューブが前記固定子コイル端部の外周若しくは内周または前記固定子コイル端部の隙間に接着されたことを特徴とする請求項１１記載の回転電機の補強構造。
【請求項１３】
前記チューブは前記固定子コイル端部に固定紐で緊縛されたことを特徴とする請求項１１または１２に記載の回転電機の補強構造。
【請求項１４】
前記固定子コイル端部の隙間は、前記上口固定子コイルと前記下口固定子コイルとの間の隙間であることを特徴とする請求項１１乃至１３のいずれか１項に記載の回転電機の補強構造。
【請求項１５】
前記固定子コイル端部の隙間は、隣接する前記上口固定子コイル及び前記下口固定子コイルとの間の隙間であり、
前記チューブが、前記隣接する前記上口固定子コイル及び前記下口固定子コイルとの間の第１の隙間から出て、前記隣接する前記上口固定子コイル及び前記下口固定子コイルとの間の第２の隙間に入り、前記固定子コイル端部の内周側及び前記固定子コイル端部の外周側にて交互に折り返すように配置されたことを特徴とする請求項１１乃至１３のいずれか１項に記載の回転電機の補強構造。
【請求項１６】
前記固定子コイル端部の隙間は、隣接する前記上口固定子コイルとの間の隙間であり、
前記チューブが、前記隣接する前記上口固定子コイルとの間の隙間である第１の隙間から出て、前記隣接する前記上口固定子コイルとの間の隙間である第２の隙間に入り、前記上口固定子コイルにおける前記固定子コイル端部の内周側に位置する上口固定子コイル内方部及び前記上口固定子コイル内方部と逆側に位置する上口固定子コイル外方部にて交互に折り返すように配置されたことを特徴とする請求項１１乃至１３のいずれか１項に記載の回転電機の補強構造。
【請求項１７】
前記固定子コイル端部の隙間は、隣接する前記下口固定子コイルとの間の隙間であり、
前記チューブが、前記隣接する前記下口固定子コイルとの間の隙間である第１の隙間から出て、前記隣接する前記下口固定子コイルとの間の隙間である第２の隙間に入り、前記下口固定子コイルにおける前記固定子コイル端部の外周側に位置する下口固定子コイル外方部及び前記下口固定子コイル外方部と逆側に位置する下口固定子コイル内方部にて交互に折り返すように配置されたことを特徴とする請求項１１乃至１３のいずれか１項に記載の回転電機の補強構造。
【請求項１８】
前記絶縁物は、樹脂とガラス繊維の混合物であることを特徴とする請求項１１乃至１７のいずれか１項に記載の回転電機の補強構造。
【請求項１９】
前記チューブは、その端部同士が重ねられて配置されたことを特徴とする請求項１１乃至１８のいずれか１項に記載の回転電機の補強構造。
【請求項２０】
前記チューブを複数有し、夫々の前記チューブの端部が他の前記チューブの端部と重ねられ、複数の前記チューブが環状に形成されたことを特徴とする請求項１１乃至１８のいずれか１項に記載の回転電機の補強構造。
【発明の詳細な説明】
【技術分野】
【０００１】
この発明は、回転電機の補強方法及び補強構造に関するものであり、特に固定子鉄心の端部より伸びた上口固定子コイル及び下口固定子コイルで形成された固定子コイル端部を補強する方法並びにその構造に関するものである。
【背景技術】
【０００２】
回転電機の固定子コイル端部は、固定子コイルに流れる電流による磁界及び回転子コイルに流れる電流による磁界の影響により、振動する。可動中の回転電機（回転子）の回転周波数と固定子コイル端部の固有振動の周波数が一致すると共振が起きて、大きく振動する。したがって、回転電機の回転周波数を中心とした周波数領域を危険周波数域とした場合、固定子コイル端部の固有振動の周波数が危険周波数域を外れるように、支持構造を強固なものにし、固定子コイル端部全体の剛性を上げている。
【０００３】
例えば、回転電機の固定子コイル端部の剛性を上げた支持構造が特許文献１に示されている。固定子コイルの内外周に配置された円筒形状の支持リングと固定子コイルとの隙間、若しくは固定子鉄心の端部近傍における上口固定子コイルと下口固定子コイル間の隙間に可撓性材料で構成されたホースを介在させ、このホースの内部に液状の樹脂材料を圧入して硬化させ、ホースを支持リングと固定子コイルとの隙間、若しくは上口固定子コイルと下口固定子コイル間の隙間に圧接することで固定子コイル端部を強固に連結させていた。
【０００４】
【特許文献１】特開昭５１−９９２０４号公報（第２頁右上段１３行から第３頁左上段９行、図１）
【発明の開示】
【発明が解決しようとする課題】
【０００５】
特許文献１に示された回転電機の固定子コイル端部の支持構造は、回転電機の長期間の稼動により、樹脂材料が硬化した絶縁物が僅かに収縮したり、ホースと絶縁物との接着が剥がれたり、劣化が進行する。これにより固定子コイル端部とホースとの圧力が低下し、固定子コイル端部全体の剛性が低下し、固有振動の周波数が低下するという問題点があった。
【０００６】
また、特許文献１に示された回転電機の固定子コイル端部の支持構造は、ホースを支持リングと固定子コイルとの隙間、若しくは上口固定子コイル及び下口固定子コイル間の隙間に高い圧力で圧接するので、固定子コイル端部に圧力を十分加えるために、回転電機の組立後に補強として円環状の支持リングを伴った構造を追加することは困難である。
【０００７】
また、回転電機の組立後に補強として円環状の支持リングを伴わず、上口固定子コイル及び下口固定子コイル間の隙間にホースを配設する場合には、固定子コイル端部に圧力を十分加えて圧接するために、隙間の狭い固定子鉄心の端部近傍に限られ、所望の場所に補強構造を追加することは困難である。
【０００８】
この発明は、上述のような課題を解決するためになされたもので、固定子コイル端部の低下した剛性の回復、若しくは剛性を向上させることができる補強方法及び補強構造を得ることを目的とする。
【課題を解決するための手段】
【０００９】
この発明に係る回転電機の補強方法は、回転電機の運転停止後に環状の固定子コイル端部の外周若しくは内周または固定子コイル端部の隙間にチューブを配置する配置手順と、このチューブに液体状の絶縁物を充填する充填手順と、絶縁物が硬化するとともに、チューブが固定子コイル端部の外周若しくは内周または固定子コイル端部の隙間に固定される固定手順を有することを特徴とする。
【発明の効果】
【００１０】
この発明に係る回転電機の補強方法は、回転電機の運転停止後に環状の固定子コイル端部の外周若しくは内周または固定子コイル端部の隙間にチューブを配置する配置手順と、このチューブに液体状の絶縁物を充填する充填手順と、絶縁物が硬化するとともに、チューブが固定子コイル端部の外周若しくは内周または固定子コイル端部の隙間に固定される固定手順を有することにより、固定子コイル端部の低下した剛性の回復、若しくは剛性を向上させることができる。
【発明を実施するための最良の形態】
【００１１】
実施の形態１．
図１は、この発明の実施の形態１における回転電機の固定子コイル端部の補強構造を示す図であり、図２は図１のＡ−Ａ面で切断した断面を示す図である。図において、固定子鉄心１の内周側（図１の上側）にスロット（図示せず。）が形成され、このスロットに上口固定子コイル４と下口固定子コイル５からなる固定子コイル３が装着される。上口固定子コイル４の上口固定子コイル端部４ａと下口固定子コイル５の下口固定子コイル端部５ａが固定子鉄心１の端部から外方に伸びており、これらの上口固定子コイル端部４ａと下口固定子コイル端部５ａをシリース接続体６で接続している。なお、図１では図を複雑にしないために簡略化しているが、固定子鉄心１は図示しない回転子を囲んで環状に配置され、上口固定子コイル端部４ａ及び下口固定子コイル端部５ａとシリース接続体６とで形成される固定子コイル端部は環状に配置されている。
【００１２】
固定子鉄心１は、固定子鉄心押え板７で押えられ、フレーム８に固定される。上口固定子コイル端部４ａ及び下口固定子コイル端部５ａは支持部材９で支持される。保持リングであるレジンリング１０が、上口固定子コイル端部４ａと下口固定子コイル端部５ａの内周側、外周側に配置され、固定子コイル端部を環状に保持する。レジン含浸マット１１が、レジンリング１０と上口固定子コイル端部４ａとの間、ならびにレジンリング１０と下口固定子コイル端部５ａとの間に配置され、上口固定子コイル端部４ａおよび下口固定子コイル端部５ａとレジンリング１０とを強固に接着する。絶縁詰め物１３が、周方向に隣接する上口固定子コイル端部４ａの間、ならびに隣接する下口固定子コイル端部５ａの間に装着される。固定紐としてのガラス紐１２は、上口固定子コイル端部４ａおよび下口固定子コイル端部５ａとレジンリング１０とを一括して緊縛する。
【００１３】
固定子コイル端部を補強するために、絶縁混合物１５を充填されたチューブ１４が、上口固定子コイル端部４ａと下口固定子コイル端部５ａとの間に配置される。絶縁混合物１５は例えばエポキシ樹脂とガラス繊維からなり、初めは液状であり、チューブ１４に注入された後に硬化して固形状となる。ガラス繊維を混入することで、固形となった絶縁混合物１５の機械的強度を増し、硬化中の収縮を抑制することができる。固定紐としてのガラス紐１６は、上口固定子コイル端部４ａおよび下口固定子コイル端部５ａとチューブ１４とを一括して緊縛する。
【００１４】
次に長期間の稼動により低下した固定子コイル端部の剛性の回復、若しくは剛性を向上させる補強方法について説明する。運転を停止した回転電機のフレームを開けて、固定子コイル端部を露出させる。まず、手順１として、ガラス繊維のチューブにレジンなどの液体絶縁物を染み込ませてチューブ１４を準備する。
【００１５】
手順２：チューブ１４を上口固定子コイル端部４ａと下口固定子コイル端部５ａとの間に配置する。具体的には、チューブ１４が、上口固定子コイル端部４ａと下口固定子コイル端部５ａとの間を固定子コイル端部の周方向へ挿入される。
【００１６】
手順３：液状の絶縁混合物１５をチューブ１４の一端からポンプで注入する。絶縁混合物１５が、チューブ１４の内部に停留している空気を押出しながら、チューブ１４の他端に向かって注入される。
【００１７】
手順４：絶縁混合物１５がチューブ１４の端部まで達した後に、図３に示すように口金２でチューブ１４の端部を挟む。口金２はボルト２５とボルト２６で固定する。図３（ａ）はチューブの端部を示す正面図であり、図３（ｂ）はチューブの端部を示す側面図である。チューブ１４の端部を口金２で挟むことで、絶縁混合物１５が流出することを防ぐことができる。
【００１８】
手順５：チューブ１４に絶縁混合物１５を充満させる。絶縁混合物１５がチューブ１４に充満すると、チューブ１４が膨らんで上口固定子コイル端部４ａ及び下口固定子コイル端部５ａに接触する。チューブ１４内の絶縁混合物１５がある程度の圧力に達したら、チューブ１４の注入口に図３と同様の口金２を取り付けてチューブ１４の端部を挟み、絶縁混合物１５をチューブ１４内に封じる。
【００１９】
手順６：チューブ１４の端部同士を図４に示すように重ねる。チューブ１４及び絶縁混合物１５を硬化させる。チューブ１４が硬化することで、チューブ１４が上口固定子コイル端部４ａ及び下口固定子コイル端部５ａに接着され、固定子コイル端部の剛性を向上させることができる。チューブ１４は、その端部同士が重なるようにすることで、円環剛性を向上させることができる。
【００２０】
手順７：チューブ１４及び絶縁混合物１５が硬化した後に、ガラス紐１６で上口固定子コイル端部４ａおよび下口固定子コイル端部５ａとチューブ１４とを一括して緊縛する。これにより、固定子コイル端部の剛性をさらに向上することができる。
【００２１】
長期間の稼動により固定子コイル端部の剛性が劣化し、固定子コイル端部の固有振動の周波数が低下した場合に、絶縁混合物１５が充填されたチューブ１４を固定子コイル端部の隙間である上口固定子コイル端部４ａ及び下口固定子コイル端部５ａに配置し、固定した補強構造を形成することで、固定子コイル端部の剛性を回復させ、若しくは向上させることができる。これにより、図５に示すように、長期間の稼動により固定子コイル端部の剛性が劣化した振動数の特性２７は、振動数の特性２８のようになり、固定子コイル端部の固有振動の周波数が上昇し、その固有振動の周波数を危険周波数域から外すことができる。図５は固定子コイル端部の固有振動の周波数と危険周波数域との関係を示す図である。横軸及び縦軸は周波数及び振動値であり、任意単位で示している。
【００２２】
また、実施の形態１における補強構造としての絶縁混合物１５が充填されたチューブ１４は、特許文献１のように高い圧力で固定子コイル端部を圧接する支持構造と異なり、上口固定子コイル端部４ａ及び下口固定子コイル端部５ａの任意の場所に配置することができる。
【００２３】
以上のように実施の形態１における回転電機の補強方法は、回転電機の運転停止後に環状の固定子コイル端部の隙間にチューブを配置する手順と、このチューブに液体状の絶縁物を充填する手順と、絶縁物が硬化するとともに、チューブが固定子コイル端部の隙間に固定される手順を有することにより、長期間の稼動により低下した固定子コイル端部の剛性の回復、若しくは剛性を向上させることができる。
【００２４】
また、実施の形態１における回転電機の補強構造は、剛性が低下した固定子コイル端部の隙間に配置され、このチューブに充填された絶縁物が硬化するとともに、チューブが固定子コイル端部の隙間に固定されたことにより、長期間の稼動により低下した固定子コイル端部の剛性の回復、若しくは剛性を向上させることができる。
【００２５】
実施の形態２．
図６は、この発明の実施の形態２における回転電機の固定子コイル端部の補強構造を示す図である。実施の形態１とは絶縁混合物１８が充填されたチューブ１７が固定子コイル端部の内周にも配置される点で異なる。固定子コイル端部の内周、即ち上口固定子コイル４の上口固定子コイル端部４ａの内周側に、絶縁混合物１８が充填されたチューブ１７が配置され、ガラス紐１６で締結して固定されている。
【００２６】
チューブ１７、絶縁混合物１８は、夫々実施の形態１のチューブ１４、絶縁混合物１５と同様のものである。補強方法も実施の形態１で説明したものと同様である。
【００２７】
実施の形態２における回転電機の補強方法及び補強構造は、固定子コイル端部の内周に、絶縁混合物１８が充填されたチューブ１７が固定されるので、長期間の稼動により低下した固定子コイル端部の剛性の回復、若しくは剛性を向上させることができる。したがって、これとともに固定子コイル端部の隙間である上口固定子コイル端部４ａ及び下口固定子コイル端部５ａに、絶縁混合物１５が充填されたチューブ１４を固定した補強構造を形成したので、実施の形態１の補強構造にくらべて、さらに固定子コイル端部の剛性の回復、若しくは剛性を向上させることができる。これにより、固定子コイル端部の固有振動の周波数がさらに上昇し、その固有振動の周波数を危険周波数域からさらに遠ざけることができる。
【００２８】
なお、絶縁混合物１８が充填されたチューブ１７が固定子コイル端部の内周に配置された例で説明したが、絶縁混合物１８が充填されたチューブ１７が、固定子コイル端部の外周、即ち下口固定子コイル５の下口固定子コイル端部５ａの外周側に配置されても、同様の効果が得られる。また、絶縁混合物１８が充填されたチューブ１７を複数箇所に設置しても構わない。
【００２９】
実施の形態３．
図７は、この発明の実施の形態３における回転電機の固定子コイル端部の補強構造を示す図であり、図８は図７のＢ−Ｂ面で切断した断面を示す図である。実施の形態１とは絶縁混合物２０が充填されたチューブ１９が隣接する上口固定子コイル端部４ａ及び下口固定子コイル端部５ａとの間に蛇行するように配置される点で異なる。
【００３０】
チューブ１９、絶縁混合物２０は、夫々実施の形態１のチューブ１４、絶縁混合物１５と同様のものである。次に補強方法について説明する。運転を停止した回転電機のフレームを開けて、固定子コイル端部を露出させる。まず、手順１として、ガラス繊維のチューブにレジンなどの液体絶縁物を染み込ませてチューブ１４を準備する。
【００３１】
手順２：チューブ１９を隣接する上口固定子コイル端部４ａ及び下口固定子コイル端部５ａとの間に蛇行するように配置する。具体的には、チューブ１９が、隣接する上口固定子コイル端部４ａ及び下口固定子コイル端部５ａとの間の隙間を通過する度に、固定子コイル端部の内周側及び前記固定子コイル端部の外周側にて交互に折り返すように配置される。言い換えると、チューブ１９が、隣接する上口固定子コイル端部４ａ及び下口固定子コイル端部５ａとの間の隙間である第１の隙間から出て、隣接する上口固定子コイル端部４ａ及び下口固定子コイル端部５ａとの間の隙間である第２の隙間に入り、固定子コイル端部の内周側及び固定子コイル端部の外周側にて交互に折り返すように配置される。
【００３２】
この後の手順は、実施の形態１の手順３乃至６と同様である。
【００３３】
実施の形態３における回転電機の補強方法及び補強構造は、絶縁混合物２０が充填されたチューブ１９が隣接する上口固定子コイル端部４ａ及び下口固定子コイル端部５ａとの間に蛇行するように配置されるので、長期間の稼動により低下した固定子コイル端部の剛性の回復、若しくは剛性を向上させることができる。これにより隣接する上口固定子コイル端部４ａとの間、及び隣接する下口固定子コイル端部５ａとの間の相対振動を抑制することができる。また、上口固定子コイル端部４ａと下口固定子コイル端部５ａとがばらばらに振動することも抑制することができる。
【００３４】
上記の構造とともに固定子コイル端部の隙間である上口固定子コイル端部４ａ及び下口固定子コイル端部５ａに、絶縁混合物１５が充填されたチューブ１４を固定した補強構造を形成したので、実施の形態１の補強構造にくらべて、さらに固定子コイル端部の剛性の回復、若しくは剛性を向上させることができる。これにより、固定子コイル端部の固有振動の周波数がさらに上昇し、その固有振動の周波数を危険周波数域からさらに遠ざけることができる。
【００３５】
なお、手順７として、チューブ１４及び絶縁混合物１５が硬化した後に、ガラス紐１６で上口固定子コイル端部４ａおよび下口固定子コイル端部５ａとチューブ１４とを一括して緊縛してもよい。これにより、固定子コイル端部の剛性をさらに向上することができる。
【００３６】
実施の形態４．
図９は、この発明の実施の形態４における回転電機の固定子コイル端部の補強構造を示す図であり、図１０は図９のＣ−Ｃ面で切断した断面を示す図である。実施の形態１とは絶縁混合物が充填されたチューブが隣接する上口固定子コイル端部４ａとの間、および隣接する下口固定子コイル端部５ａとの間に蛇行するように配置される点で異なる。
【００３７】
絶縁混合物２２が充填されたチューブ２１が隣接する上口固定子コイル端部４ａとの間に蛇行するように配置され、絶縁混合物２４が充填されたチューブ２３が隣接する下口固定子コイル端部５ａとの間に蛇行するように配置される。チューブ２１、２３は、実施の形態１のチューブ１４と同様のものであり、絶縁混合物２２、２４は、実施の形態１の絶縁混合物１５と同様のものである。
【００３８】
次に補強方法について説明する。運転を停止した回転電機のフレームを開けて、固定子コイル端部を露出させる。まず、手順１として、ガラス繊維のチューブにレジンなどの液体絶縁物を染み込ませてチューブ１４を準備する。
【００３９】
手順２：チューブ２１を隣接する上口固定子コイル端部４ａとの間に蛇行するように配置し、チューブ２３を隣接する下口固定子コイル端部５ａとの間に蛇行するように配置する。具体的には、チューブ２１が、隣接する上口固定子コイル端部４ａとの間の隙間を通過する度に、上口固定子コイル端部４ａにおける固定子コイル端部の内周側に位置する上口固定子コイル内方部及び上口固定子コイル内方部と逆側に位置する上口固定子コイル外方部にて交互に折り返すように配置される。また、チューブ２３が、隣接する下口固定子コイル端部５ａとの間の隙間を通過する度に、下口固定子コイル端部５ａにおける固定子コイル端部の外周側に位置する下口固定子コイル外方部及び下口固定子コイル外方部と逆側に位置する下口固定子コイル内方部にて交互に折り返すように配置される。
【００４０】
言い換えると、チューブ２１が、隣接する上口固定子コイル端部４ａとの間の隙間である第１の隙間から出て、隣接する上口固定子コイル端部４ａとの間の隙間である第２の隙間に入り、上口固定子コイル端部４ａにおける固定子コイル端部の内周側に位置する上口固定子コイル内方部及び上口固定子コイル内方部と逆側に位置する上口固定子コイル外方部にて交互に折り返すように配置される。また、チューブ２３が、隣接する下口固定子コイル端部５ａとの間の隙間である第１の隙間から出て、隣接する下口固定子コイル端部５ａとの間の隙間である第２の隙間に入り、下口固定子コイル端部５ａにおける固定子コイル端部の外周側に位置する下口固定子コイル外方部及び下口固定子コイル外方部と逆側に位置する下口固定子コイル内方部にて交互に折り返すように配置される。
【００４１】
この後の手順は、実施の形態１の手順３乃至６と同様である。
【００４２】
実施の形態４における回転電機の補強方法及び補強構造は、絶縁混合物が充填されたチューブ２１、２３が隣接する上口固定子コイル端部４ａとの間、および隣接する下口固定子コイル端部５ａとの間に蛇行するように配置されるので、長期間の稼動により低下した上口固定子コイル端部４ａの剛性と下口固定子コイル端部５ａの剛性とをそれぞれ個別に回復、若しくは向上させることができる。これにより隣接する上口固定子コイル端部４ａとの間、及び隣接する下口固定子コイル端部５ａとの間の相対振動を個別に抑制することができる。
【００４３】
上記の構造とともに固定子コイル端部の隙間である上口固定子コイル端部４ａ及び下口固定子コイル端部５ａに、絶縁混合物１５が充填されたチューブ１４を固定した補強構造を形成したので、実施の形態１の補強構造にくらべて、さらに固定子コイル端部の剛性の回復、若しくは剛性を向上させることができる。これにより、固定子コイル端部の固有振動の周波数がさらに上昇し、その固有振動の周波数を危険周波数域からさらに遠ざけることができる。
【００４４】
また、上口固定子コイル端部４ａと下口固定子コイル端部５ａをそれぞれ個別に補強するので、実施の形態３とは異なり、上口固定子コイル端部４ａ及び下口固定子コイル端部５ａを包括してチューブを蛇行させて配置する必要がない。したがって、固定子コイル端部における固定子鉄心１側の隙間が狭くなった場所にも配置がし易く、所望の場所に配置することができる利点がある。
【００４５】
なお、手順７として、チューブ１４及び絶縁混合物１５が硬化した後に、ガラス紐１６で上口固定子コイル端部４ａおよび下口固定子コイル端部５ａとチューブ１４とを一括して緊縛してもよい。これにより、固定子コイル端部の剛性をさらに向上することができる。
【００４６】
なお、実施の形態１乃至４では、１本のチューブで固定子コイル端部を一周させる例を説明したが、複数のチューブを使用して一周させても構わない。複数のチューブに分割して、それぞれのチューブに並行して絶縁混合物を注入することで、補強構造を短時間で形成することができる。また、大きな回転電機の場合は、補強構造を形成するチューブの長さが極端に長くなることがないので、補強構造を形成する作業性が向上することができ、チューブを所望の位置に確実に配置することができる。
【図面の簡単な説明】
【００４７】
【図１】この発明の実施の形態１における回転電機の補強構造を示す図である。
【図２】図１のＡ−Ａ面で切断した断面を示す図である。
【図３】実施の形態１におけるチューブの端部を示す図である。
【図４】実施の形態１におけるチューブの端部の重なりを示す図である。
【図５】固定子コイル端部の固有振動の周波数と危険周波数域との関係を示す図である。
【図６】この発明の実施の形態２における回転電機の補強構造を示す図である。
【図７】この発明の実施の形態３における回転電機の補強構造を示す図である。
【図８】図７のＢ−Ｂ面で切断した断面を示す図である。
【図９】この発明の実施の形態４における回転電機の補強構造を示す図である。
【図１０】図９のＣ−Ｃ面で切断した断面を示す図である。
【符号の説明】
【００４８】
１  固定子鉄心
４  上口固定子コイル
５  下口固定子コイル
６  シリース接続体
１０  レジンリング
１２、１６  ガラス紐
１４、１７、１９、２１、２３  チューブ
１５、１８、２０、２２、２４  絶縁混合物
【図１】
2008301620.tif 000003
【図２】
2008301620.tif 000004
【図３】
2008301620.tif 000005
【図４】
2008301620.tif 000006
【図５】
2008301620.tif 000007
【図６】
2008301620.tif 000008
【図７】
2008301620.tif 000009
【図８】
2008301620.tif 000010
【図９】
2008301620.tif 000011
【図１０】
2008301620.tif 000012